(57)【要約】【課題】複数の電源ユニットを用いて構成した電源回路であっても、起動時において動作異常の発生を抑える。【解決手段】プラズマディスプレイパネルと、走査電極駆動回路３３と、維持電極駆動回路３４と、データ電極駆動回路３２と、タイミング発生回路３５と、画像信号処理回路３１と、それぞれの回路に電力を供給する電源回路３６とを備えたプラズマディスプレイ装置であって、電源回路３６は、第１の電圧５Ｖを有する第１の出力をそれぞれ備えた複数の電源ユニット４１、４２と、電源ユニット４１、４２のそれぞれの第１の出力の論理積を出力する論理積回路４３と、論理積回路４３の出力により開閉されるとともにいずれかの電源ユニットからタイミング発生回路３５に第１の電圧を印加するスイッチＳ５とを備え、タイミング発生回路３５はスイッチＳ５を介して第１の電圧が印加された後、第１の時間経過後にタイミング信号を発生する。【選択図】図５
2012093597.tif 000002
【特許請求の範囲】
【請求項１】
走査電極と維持電極とデータ電極とを有する放電セルを複数配列したプラズマディスプレイパネルと、前記走査電極に印加する駆動電圧波形を発生する走査電極駆動回路と、前記維持電極に印加する駆動電圧波形を発生する維持電極駆動回路と、前記データ電極に印加する駆動電圧波形を発生するデータ電極駆動回路と、前記走査電極駆動回路と前記維持電極駆動回路とを制御するタイミング信号を発生するタイミング発生回路と、前記データ電極駆動回路に供給する画像データを発生する画像信号処理回路と、それぞれの回路に電力を供給する電源回路と、を備えたプラズマディスプレイ装置であって、
前記電源回路は、第１の電圧を有する第１の出力をそれぞれ備えた複数の電源ユニットと、前記電源ユニットのそれぞれの第１の出力の論理積を出力する論理積回路と、前記論理積回路の出力により開閉されるとともにいずれかの前記電源ユニットから前記タイミング発生回路に第１の電圧を印加するスイッチとを備え、
前記タイミング発生回路は前記スイッチを介して前記第１の電圧が印加された後、第１の時間経過後に前記タイミング信号を発生することを特徴とするプラズマディスプレイ装置。
【請求項２】
前記論理積回路の出力により開閉されるとともにいずれかの前記電源ユニットから前記画像信号処理回路に第１の電圧を印加するスイッチを備え、
前記画像信号処理回路は前記スイッチを介して前記第１の電圧が印加された後、前記第１の時間よりも長い第２の時間経過後に前記画像データを前記データ電極駆動回路に供給することを特徴とする請求項１に記載のプラズマディスプレイ装置。
【発明の詳細な説明】
【技術分野】
【０００１】
本発明は、交流面放電型のプラズマディスプレイパネルを用いたプラズマディスプレイ装置に関する。
【背景技術】
【０００２】
プラズマディスプレイパネル（以下、「パネル」と略記する）は、走査電極および維持電極からなる表示電極対とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間と書込み期間と維持期間とを有するサブフィールドを複数用いて１つのフィールドを構成し、発光させるサブフィールドの組み合わせによって階調表示を行う方法が一般的である。初期化期間では走査電極に初期化電圧波形を印加して初期化放電を発生し、続く書込み動作に必要な壁電荷を形成する。書込み期間では走査電極に走査パルスを印加するとともにデータ電極に書込みパルスを印加して、表示する画像に応じた放電セルで選択的に書込み放電を発生し壁電荷を形成する。維持期間では表示電極対に交互に維持パルスを印加して維持放電を発生させ、対応する放電セルの蛍光体層を発光させる。
【０００４】
このように、パネルの各電極には数十ボルトから数百ボルトの高い電圧を有する駆動電圧波形が印加される。そしてこれらの駆動電圧波形を発生させるために、プラズマディスプレイ装置には多くのスイッチング素子を用いた電極駆動回路が設けられており、何種類もの電源から電力が供給されるとともに所定のシーケンスにしたがってスイッチング素子が制御されている。
【０００５】
このようなプラズマディスプレイ装置では、起動時において安全に動作を開始するために、あるいは終了時に安全に動作を停止するために、電源スイッチの開閉時において、各電源の立上り、立下り、およびスイッチング素子の制御信号を注意深く制御する必要がある。
【０００６】
例えば特許文献１には、ＤＣ型パネルを用いたプラズマディスプレイ装置におけるこのような制御について開示されている。
【０００７】
また特許文献２には、チューナ部を有する一体型プラズマディスプレイ装置の電源の立上りシーケンスの例が開示されている。
【先行技術文献】
【特許文献】
【０００８】
【特許文献１】特開昭６１−１６６５９２号公報
【特許文献２】特開２００４−４５４８４号公報
【発明の概要】
【発明が解決しようとする課題】
【０００９】
各放電セルで維持放電を安定して発生させるためには、通常百数十ボルトの振幅で立上り時間が１μｓｅｃ以下の急峻な形状を持つ維持パルスを表示電極対に印加する必要がある。そしてこのとき、例えば表示画面サイズが１５０インチ相当のパネルであれば百アンペアを超える大きな電流が瞬間的に流れる。そのため、これらの電力を供給するには電力供給能力の高い電源が必要となる。
【００１０】
このような電源を構成する方法のひとつとして、電力供給能力が比較的低い電源を複数並列に接続して用いる方法がある。特に、表示画面サイズの小さいプラズマディスプレイ装置に用いる既存の電源ユニットを複数並列に接続して、表示画面サイズの大きいプラズマディスプレイ装置に用いる電源回路を構成すると、開発期間を短縮する上でも、またコストの上でも有利である。
【００１１】
しかしながら、個々の電源ユニットにはばらつきがあり、電源の立上り、立下りのタイミングは必ずしも一致しない。そのため既存の電源ユニットを単純に複数並列に接続して電源回路を構成すると、起動時においてプラズマディスプレイ装置が正常に立上らない等の動作異常や、場合によっては駆動回路が故障することがあった。
【００１２】
本発明は上記課題に鑑みなされたものであり、複数の電源ユニットを用いて構成した電源回路であっても、起動時において動作異常の発生するおそれのないプラズマディスプレイ装置を提供することを目的とする。
【課題を解決するための手段】
【００１３】
上記目的を達成するために本発明は、走査電極と維持電極とデータ電極とを有する放電セルを複数配列したパネルと、走査電極に印加する駆動電圧波形を発生する走査電極駆動回路と、維持電極に印加する駆動電圧波形を発生する維持電極駆動回路と、データ電極に印加する駆動電圧波形を発生するデータ電極駆動回路と、走査電極駆動回路と維持電極駆動回路とを制御するタイミング信号を発生するタイミング発生回路と、データ電極駆動回路に供給する画像データを発生する画像信号処理回路と、それぞれの回路に電力を供給する電源回路とを備えたプラズマディスプレイ装置であって、電源回路は、第１の電圧を有する第１の出力をそれぞれ備えた複数の電源ユニットと、電源ユニットのそれぞれの第１の出力の論理積を出力する論理積回路と、論理積回路の出力により開閉されるとともにいずれかの電源ユニットからタイミング発生回路に第１の電圧を印加するスイッチとを備え、タイミング発生回路はスイッチを介して第１の電圧が印加された後、第１の時間経過後にタイミング信号を発生することを特徴とする。この構成により、複数の電源ユニットを用いて構成した電源回路であっても、起動時において動作異常の発生するおそれのないプラズマディスプレイ装置を提供することができる。
【００１４】
また本発明のプラズマディスプレイ装置は、論理積回路の出力により開閉されるとともにいずれかの電源ユニットから画像信号処理回路に第１の電圧を印加するスイッチを備え、画像信号処理回路はスイッチを介して第１の電圧が印加された後、第１の時間よりも長い第２の時間経過後に画像データをデータ電極駆動回路に供給する構成であってもよい。
【発明の効果】
【００１５】
本発明によれば、複数の電源ユニットを用いて構成した電源回路であっても、起動時において動作異常の発生するおそれのないプラズマディスプレイ装置を提供することが可能となる。
【図面の簡単な説明】
【００１６】
【図１】本発明の実施の形態１におけるプラズマディスプレイ装置のパネルの分解斜視図である。
【図２】同プラズマディスプレイ装置のパネルの電極配列図である。
【図３】同プラズマディスプレイ装置のパネルの各電極に印加する駆動電圧波形を示す図である。
【図４】同プラズマディスプレイ装置の回路ブロック図である。
【図５】同プラズマディスプレイ装置の電源およびタイミング信号の供給を示す図である。
【図６】同プラズマディスプレイ装置の起動時のタイミングチャートである。
【図７】本発明の実施の形態２におけるプラズマディスプレイ装置の回路ブロック図である。
【図８】同プラズマディスプレイ装置の電源およびタイミング信号の供給を示す図である。
【発明を実施するための形態】
【００１７】
以下、本発明の実施の形態におけるプラズマディスプレイ装置について、図面を用いて説明する。
【００１８】
（実施の形態１）
図１は、本発明の実施の形態１におけるプラズマディスプレイ装置のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１９】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態１におけるプラズマディスプレイ装置のパネル１０の電極配列図である。パネル１０には、行方向に長いｎ本の走査電極１２および同数本の維持電極１３が配列され、列方向に長いｍ本のデータ電極２２が配列されている。そして、１対の走査電極１２および維持電極１３からなる表示電極対１４と１本のデータ電極２２とが交差する位置に放電セルが形成されている。こうして、ｎ行およびｍ列に行列状に配置された（ｎ×ｍ）個の放電セルが形成されている。
【００２２】
次に、パネル１０を駆動する方法について説明する。本実施の形態においては、画像信号に応じた階調を表示する方法としていわゆるサブフィールド法を用いている。サブフィールド法は１フィールド期間を初期化期間、書込み期間、維持期間を有する複数のサブフィールドに分割し、サブフィールド毎に各放電セルの発光・非発光を制御することによって階調表示を行う方法である。
【００２３】
図３は、本発明の実施の形態１におけるプラズマディスプレイ装置のパネル１０の各電極に印加する駆動電圧波形を示す図である。図３には３つのサブフィールドＳＦ１〜ＳＦ３に対する駆動電圧波形を示しているが、他のサブフィールドにおける駆動電圧波形もほぼ同様である。
【００２４】
サブフィールドＳＦ１の初期化期間では、電圧Ｖｉ２に向かって緩やかに上昇するランプ電圧を走査電極１２に印加する。その後、電圧Ｖｅを維持電極１３に印加するとともに、電圧Ｖｉ４に向かって緩やかに下降するランプ電圧を走査電極１２に印加する。すると各放電セルで微弱な初期化放電が発生し、続く書込み動作に必要な壁電荷を各電極上に形成する。なお、初期化期間の動作としては、サブフィールドＳＦ２、ＳＦ３の初期化期間に示したように、電圧Ｖｉ４に向かって緩やかに下降するランプ電圧を走査電極１２に印加するだけでもよい。
【００２５】
続く書込み期間では、１行目の走査電極１２に電圧Ｖａの走査パルスを印加するとともに、発光すべき放電セルに対応するデータ電極２２に電圧Ｖｄの書込みパルスを印加する。すると走査パルスと書込みパルスとが同時に印加された１行目の放電セルでは書込み放電が発生し、放電セルの走査電極１２上および維持電極１３上に壁電荷を蓄積する書込み動作が行われる。このような書込み動作をすべての行の放電セルで繰り返し、発光すべき放電セルに対して選択的に書込み放電を発生させ壁電荷を形成する。
【００２６】
続く維持期間では、維持電極１３および走査電極１２に電圧Ｖｓの維持パルスを輝度重みに応じた数だけ交互に印加する。すると、書込み放電を起こした放電セルでは維持放電が起こり発光する。そして、維持期間の最後には電圧Ｖｒに向かって緩やかに上昇するランプ電圧を走査電極１２に印加して、壁電荷を消去する。こうして書込み放電の発生した放電セルを輝度重みに応じた輝度で発光させる維持動作が終了する。
【００２７】
続くサブフィールドの動作はサブフィールドＳＦ１の動作とほぼ同様である。
【００２８】
次に、パネル１０を駆動するための駆動回路とその動作について説明する。図４は、本発明の実施の形態１におけるプラズマディスプレイ装置５０の回路ブロック図である。プラズマディスプレイ装置５０は、走査電極と維持電極とデータ電極とを有する放電セルを複数配列したパネル１０とその駆動回路とを備えている。駆動回路は、本体制御回路３０、画像信号処理回路３１、データ電極駆動回路３２、走査電極駆動回路３３、維持電極駆動回路３４、タイミング発生回路３５およびそれぞれの回路に必要な電源を供給する電源回路３６を備えている。
【００２９】
本体制御回路３０は、待機用の電源で動作し、リモコン制御、画像信号切換制御等を行う。画像信号処理回路３１は、入力された画像信号をサブフィールド毎の発光・非発光を示す画像データに変換し、データ電極駆動回路３２に供給する画像データを発生する。データ電極駆動回路３２はサブフィールド毎の画像データをデータ電極２２のそれぞれに対応する書込みパルスに変換しデータ電極２２に印加する駆動電圧波形を発生する。
【００３０】
走査電極駆動回路３３は、走査電極に印加する上述した駆動電圧波形を発生し走査電極１２のそれぞれに印加する。維持電極駆動回路３４は、維持電極に印加する上述した駆動電圧波形を発生し維持電極１３に印加する。タイミング発生回路３５は、垂直および水平同期信号をもとにして走査電極駆動回路３３と維持電極駆動回路３４とを含む各回路ブロックの動作を制御する各種のタイミング信号を発生し、それぞれの回路ブロックへ供給する。またタイミング発生回路３５は、後述する第１の電圧を印加された後、第１の時間経過後に走査電極駆動回路３３および維持電極駆動回路３４を制御するタイミング信号を発生する。
【００３１】
電源回路３６は、表示画面サイズの小さいプラズマディスプレイ装置に用いる既存の電源ユニットを複数個用いて構成されている。本実施の形態においては電源ユニットとして、同じ回路構成を有する２個の電源ユニット４１、電源ユニット４２を用いている。電源ユニット４１、電源ユニット４２のそれぞれは、主にデジタル回路の電源として用いるための第１の電圧を有する第１の電源（本実施の形態においては第１の電圧は電圧５（Ｖ）であるので、以下では「５Ｖ電源」と略記する）を備えるとともに、各電極に印加する駆動電圧波形を発生するための各種の電源とを備えている。図５には５Ｖ電源と、維持パルス発生用の第２の電圧Ｖｓを有する第２の電源（以下、単に「Ｖｓ電源」と略記する）、書込みパルス発生用の第３の電圧Ｖｄを有する第３の電源（以下、単に「Ｖｄ電源」と略記する）のみを示し、電圧Ｖｉ２の電源や電圧Ｖｅの電源等の他の電源については省略した。
【００３２】
図５は、本発明の実施の形態１におけるプラズマディスプレイ装置５０の電源回路３６とその電力の供給先を示す図である。電源回路３６は上述した電源ユニット４１および電源ユニット４２に加えて、論理積回路４３、スイッチＳ１、スイッチＳ２、スイッチＳ５を有する。
【００３３】
電源ユニット４１はスイッチＳ３を有し、電源ユニット４１の５Ｖ電源以外の電源はスイッチＳ３を閉じることで動作する。電源ユニット４１の５Ｖ電源は待機用の電源として動作し本体制御回路３０に電力を供給する。またＶｓ電源は走査電極駆動回路３３に電力を供給し、Ｖｄ電源はデータ電極駆動回路３２の半分に電力を供給する。電源ユニット４２もスイッチＳ４を有するが、スイッチＳ４は常に閉じられている。電源ユニット４２の５Ｖ電源はスイッチＳ５を介して画像信号処理回路３１およびタイミング発生回路３５に電力を供給する。また電源ユニット４２のＶｓ電源は維持電極駆動回路３４に電力を供給し、Ｖｄ電源はデータ電極駆動回路３２の残りの半分に電力を供給する。
【００３４】
論理積回路４３は、電源ユニット４１から出力される５Ｖ電源の出力と電源ユニット４２から出力される５Ｖ電源の出力との論理積を出力してスイッチＳ５を制御する。すなわち電源ユニット４１の５Ｖ電源および電源ユニット４２の５Ｖ電源からともに電圧が出力されているときにスイッチＳ５を閉じる。
【００３５】
スイッチＳ１はプラズマディスプレイ装置５０の主電源スイッチである。スイッチＳ２、および電源ユニット４１のスイッチＳ３はリモコンからの信号を受け取った本体制御回路３０で制御されるスイッチであり、プラズマディスプレイ装置５０が待機状態の時にはスイッチＳ２およびスイッチＳ３は開いており、画像表示状態の時には閉じられる。
【００３６】
このように、電源回路３６は、第１の電圧を有する第１の出力をそれぞれ備えた複数の電源ユニット４１、４２と、電源ユニットのそれぞれの第１の出力の論理積を出力する論理積回路４３と、論理積回路４３の出力により開閉されるとともにいずれかの電源ユニットからタイミング発生回路３５に第１の電圧を印加するスイッチＳ５とを備える。そして電源ユニット４１の５Ｖ電源および電源ユニット４２の５Ｖ電源からともに電圧が出力されているときにスイッチＳ５を閉じて、タイミング発生回路３５に第１の電圧である電圧５（Ｖ）を印加する。
【００３７】
図６は、本発明の実施の形態１におけるプラズマディスプレイ装置５０の起動時および商用電源の供給が一時的に停止した場合のタイミングチャートである。
【００３８】
まず起動時について説明する。時刻ｔ１において主電源スイッチＳ１を閉じる。すると商用電源から主電源スイッチＳ１を介して電源ユニット４１に電力が供給され、待機用の電源である５Ｖ電源が動作して本体制御回路３０に電力が供給される。こうしてプラズマディスプレイ装置５０は待機状態となる。
【００３９】
次に時刻ｔ２において、リモコンを用いてプラズマディスプレイ装置５０のスイッチをオンにする。するとリモコンからの信号を受け取った本体制御回路３０は、スイッチＳ２およびスイッチＳ３を閉じる。すると、電源ユニット４１のＶｓ電源から走査電極駆動回路３３に電力が供給され、電源ユニット４１のＶｄ電源からデータ電極駆動回路３２の半分に電力が供給される。また電源ユニット４２のＶｓ電源から維持電極駆動回路３４に電力が供給され、電源ユニット４２のＶｄ電源からデータ電極駆動回路３２の残りの半分に電力が供給される。
【００４０】
さらに電源ユニット４２の５Ｖ電源が動作し、論理積回路４３の出力が「Ｈ」レベルとなり、スイッチＳ５が閉じられる。すると画像信号処理回路３１およびタイミング発生回路３５にも電力が供給される。タイミング発生回路３５は電力が供給されると、第１の時間Ｔ１経過後の時刻ｔ３において走査電極駆動回路３３および維持電極駆動回路３４を制御するためのタイミング信号を発生する。すると走査電極駆動回路３３および維持電極駆動回路３４は図３に示した駆動電圧波形を発生する。
【００４１】
また画像信号処理回路３１は電力が供給されると、第１の時間Ｔ１よりも長い第２の時間Ｔ２経過後の時刻ｔ４において画像データを出力する。するとデータ電極駆動回路３２は書込みパルスを発生してデータ電極２２のそれぞれに印加する。このようにしてプラズマディスプレイ装置５０の画像表示が開始する。
【００４２】
このように本実施の形態においては、タイミング発生回路３５はスイッチＳ５を介して第１の電圧が印加された後、第１の時間Ｔ１経過後にタイミング信号を発生する。また画像信号処理回路３１はスイッチＳ５を介して第１の電圧が印加された後、第１の時間Ｔ１よりも長い第２の時間Ｔ２経過後に画像データをデータ電極駆動回路３２に供給する。
【００４３】
ここで、論理積回路４３で制御されるスイッチＳ５を介してタイミング発生回路３５に電力を供給し、その後第１の時間Ｔ１経過後にタイミング発生回路３５からタイミング信号を発生させる理由は以下の通りである。
【００４４】
走査電極駆動回路３３および維持電極駆動回路３４には、Ｖｓ電源以外にも、電圧Ｖｉ２の電源や電圧Ｖｅの電源等の多くの電源が供給されている。しかしこれらの電源が供給される順序は一意に決まっているわけではなく、電源ユニットのばらつきや走査電極駆動回路３３および維持電極駆動回路３４のばらつき等により変化する。
【００４５】
このように、多くの電源の供給される順序が一意に決まっていなくても、誤動作することなく安全にプラズマディスプレイ装置５０を起動させるためには、すべての電源が供給された後に走査電極駆動回路３３および維持電極駆動回路３４の動作を開始することが望ましい。本実施の形態においては、走査電極駆動回路３３および維持電極駆動回路３４に供給される多くの電源が安定して供給された後にタイミング信号が供給されるように、２個の電源ユニットが動作した後にタイミング発生回路３５に電力を供給している。そしてタイミング発生回路３５に電力が供給された後、第１の時間Ｔ１経過後にタイミング信号を発生している。
【００４６】
またスイッチＳ５を介して画像信号処理回路３１に電力を供給し、その後第２の時間Ｔ２経過後に画像信号処理回路３１から画像データを出力させる理由は、走査電極駆動回路３３および維持電極駆動回路３４が動作を開始した後に画像表示を開始させるためである。
【００４７】
次に、商用電源の供給が一時的に停止した場合について説明する。
【００４８】
時刻ｔ５において商用電源の供給が停止すると、電源ユニット４１、電源ユニット４２から出力される各種の電源の出力電圧が低下し始める。このとき図６に示したように、例えば電源ユニット４１から出力される５Ｖ電源の出力電圧が速やかに低下し、電源ユニット４２から出力される５Ｖ電源の出力電圧は低下しなかったと仮定する。論理積回路４３の出力は、電源ユニット４１から出力される５Ｖ電源の低下により「Ｌ」レベルとなり、スイッチＳ５が開く。そのためタイミング発生回路３５は速やかにタイミング信号を停止し、走査電極駆動回路３３および維持電極駆動回路３４は安全に動作を停止する。
【００４９】
時刻ｔ６において商用電源の供給が再開されたとすると、電源ユニット４１から出力される各種の電源の出力電圧は上昇し始める。しかしタイミング発生回路３５はタイミング信号を停止したままであるので、走査電極駆動回路３３および維持電極駆動回路３４も動作を停止したままである。
【００５０】
次に、商用電源の供給停止の影響を受けて、時刻ｔ７において電源ユニット４２から出力される５Ｖ電源の出力電圧が一旦低下し、その後の時刻ｔ８において出力電圧が回復したと仮定する。このような動作は、商用電源の供給停止を受けて動作停止を行うシーケンスを有する電源回路では起こりうる動作である。
【００５１】
この場合、スイッチＳ５は、論理積回路の出力によって時刻ｔ５〜ｔ６で開、時刻ｔ６〜ｔ７で閉、時刻ｔ７〜ｔ８で開、時刻ｔ８以降で閉となる。したがって、時刻ｔ６でタイミング発生回路３５には一旦電力が供給されるが、時刻ｔ７で供給が停止する。そして時刻ｔ８で再び電力が供給され、第１の時間Ｔ１経過後の時刻ｔ９でタイミング発生回路３５はタイミング信号を発生する。時刻ｔ９では、走査電極駆動回路３３および維持電極駆動回路３４に供給される多くの電源がすでに安定して供給されているので、誤動作を発生させることなく安全に再起動させることができる。
【００５２】
また画像信号処理回路３１は時刻ｔ８の後、第２の時間Ｔ２経過後の時刻ｔ１０において画像データを出力する。するとデータ電極駆動回路３２は書込みパルスを発生してデータ電極２２のそれぞれに印加する。
【００５３】
本実施の形態においては、第１の時間Ｔ１は４９００（ｍｓ）であり、第２の時間Ｔ２は５３００（ｍｓ）である。しかしこれらの時間は電源ユニットの仕様、各電極駆動回路の仕様等により適切に設定することが望ましい。
【００５４】
なお、本実施の形態においては、表示画面サイズの小さいプラズマディスプレイ装置に用いる既存の電源ユニットを２個用いて電源回路３６を構成した例について説明した。しかし本発明は電源ユニットの数に限定されるものではない。次に既存の電源ユニットを１０個用いて電源回路を構成した例について説明する。
【００５５】
（実施の形態２）
図７は、本発明の実施の形態２におけるプラズマディスプレイ装置９０の回路ブロック図である。プラズマディスプレイ装置９０は、パネル１０とその駆動回路とを備え、駆動回路は、本体制御回路６０、画像信号処理回路６１、データ電極駆動回路６２、走査電極駆動回路６３、維持電極駆動回路６４、タイミング発生回路６５および各回路ブロックに必要な電源を供給する電源回路６６を備えている。なお実施の形態２においては、データ電極駆動回路６２は８個の回路ブロックにより構成され、画像信号処理回路６１は４個の回路ブロックにより構成されている。
【００５６】
本体制御回路６０は、待機用の電源で動作し、リモコン制御、画像信号切換制御等を行う。画像信号処理回路６１は、入力された画像信号をサブフィールド毎の発光・非発光を示す画像データに変換する。データ電極駆動回路６２はサブフィールド毎の画像データをデータ電極２２のそれぞれに対応する書込みパルスに変換し各データ電極２２に印加する。タイミング発生回路６５は垂直および水平同期信号をもとにして各回路ブロックの動作を制御する各種のタイミング信号を発生し、それぞれの回路ブロックへ供給する。走査電極駆動回路６３は、タイミング信号にもとづいて上述した駆動電圧波形を発生し走査電極１２のそれぞれに印加する。維持電極駆動回路６４は、タイミング信号にもとづいて上述した駆動電圧波形を発生し維持電極１３に印加する。
【００５７】
電源回路６６は、表示画面サイズの小さいプラズマディスプレイ装置に用いる既存の電源ユニットを１０個用いて構成されており、これら１０個の電源ユニットは同じ回路構成の電源ユニットである。実施の形態１と同様に、電源ユニット７１〜８０のそれぞれは、主にデジタル回路の電源として用いるための５Ｖ電源を備えるとともに、各電極に印加する駆動電圧波形を発生するための各種の電源とを備えている。ただし図７でも、５Ｖ電源、Ｖｓ電源、Ｖｄ電源のみを示し、電圧Ｖｉ２の電源や電圧Ｖｅの電源等の他の電源については省略した。
【００５８】
図８は、本発明の実施の形態２におけるプラズマディスプレイ装置９０の電源回路６６とその供給先を示す図である。電源回路６６は、上述した１０個の電源ユニット７１〜８０に加えて、ダイオードＤ１〜Ｄ１０、論理積回路８３、スイッチＳ１、スイッチＳ２、スイッチＳ５〜Ｓ８を有する。
【００５９】
電源ユニット７１はスイッチＳ１１を有し、５Ｖ電源以外の電源はスイッチＳ１１を閉じることで動作する。電源ユニット７１の５Ｖ電源は本体制御回路６０に電力を供給し、Ｖｓ電源はダイオードＤ１を介して走査電極駆動回路６３に電力を供給し、Ｖｄ電源はデータ電極駆動回路６２の１／８（すなわち、データ電極駆動回路６２を構成する８個の回路ブロックのうちの１個の回路ブロック）に電力を供給する。
【００６０】
電源ユニット７２はスイッチＳ１２を有するが、スイッチＳ１２は常に閉じられている。Ｖｓ電源はダイオードＤ２を介して走査電極駆動回路６３に電力を供給し、Ｖｄ電源はデータ電極駆動回路６２の１／８に電力を供給する。
【００６１】
電源ユニット７３は常に閉じられたスイッチＳ１３を有する。５Ｖ電源はスイッチＳ５を介してタイミング発生回路６５に電力を供給するとともに画像信号処理回路６１の１／４（すなわち、画像信号処理回路６１を構成する４個の回路ブロックのうちの１個の回路ブロック）に電力を供給する。Ｖｓ電源はダイオードＤ３を介して走査電極駆動回路６３に電力を供給し、Ｖｄ電源はデータ電極駆動回路６２の１／８に電力を供給する。
【００６２】
電源ユニット７４は常に閉じられたスイッチＳ１４を有する。５Ｖ電源はスイッチＳ６を介して画像信号処理回路６１の１／４に電力を供給する。Ｖｓ電源はダイオードＤ４を介して走査電極駆動回路６３に電力を供給し、Ｖｄ電源はデータ電極駆動回路６２の１／８に電力を供給する。
【００６３】
電源ユニット７５は常に閉じられたスイッチＳ１５を有し、Ｖｓ電源はダイオードＤ５を介して走査電極駆動回路６３に電力を供給する。
【００６４】
電源ユニット７６は常に閉じられたスイッチＳ１６を有する。Ｖｓ電源はダイオードＤ６を介して維持電極駆動回路６４に電力を供給し、Ｖｄ電源はデータ電極駆動回路６２の１／８に電力を供給する。
【００６５】
電源ユニット７７は常に閉じられたスイッチＳ１７を有する。Ｖｓ電源はダイオードＤ７を介して維持電極駆動回路６４に電力を供給し、Ｖｄ電源はデータ電極駆動回路６２の１／８に電力を供給する。
【００６６】
電源ユニット７８は常に閉じられたスイッチＳ１８を有する。５Ｖ電源はスイッチＳ７を介して画像信号処理回路６１の１／４に電力を供給する。Ｖｓ電源はダイオードＤ８を介して維持電極駆動回路６４に電力を供給し、Ｖｄ電源はデータ電極駆動回路６２の１／８に電力を供給する。
【００６７】
電源ユニット７９は常に閉じられたスイッチＳ１９を有する。５Ｖ電源はスイッチＳ８を介して画像信号処理回路６１の１／４に電力を供給する。Ｖｓ電源はダイオードＤ９を介して維持電極駆動回路６４に電力を供給し、Ｖｄ電源はデータ電極駆動回路６２の１／８に電力を供給する。
【００６８】
電源ユニット８０は常に閉じられたスイッチＳ２０を有し、Ｖｓ電源はダイオードＤ１０を介して走査電極駆動回路６３に電力を供給する。
【００６９】
論理積回路８３は、電源ユニット７１〜８０のそれぞれから出力される５Ｖ電源の出力の論理積を出力してスイッチＳ５〜Ｓ８を制御する。すなわち電源ユニット７１〜８０のそれぞれの５Ｖ電源のすべてから電圧が出力されているときにスイッチＳ５〜Ｓ８を閉じる。
【００７０】
スイッチＳ１はプラズマディスプレイ装置５０の主電源スイッチである。スイッチＳ２、および電源ユニット７１のスイッチＳ１１はリモコンからの信号を受け取った本体制御回路６０で制御されるスイッチであり、プラズマディスプレイ装置９０が待機状態の時にはスイッチＳ２およびスイッチＳ１１は開いており、画像表示状態の時には閉じられる。
【００７１】
このように実施の形態２においても、電源回路６６は、第１の電圧を有する第１の出力と第２の電圧Ｖｓを有する第２の出力とを備えた電源ユニットを複数個と、電源ユニットのそれぞれの第１の出力の論理積を出力する論理積回路８３と、論理積回路８３の出力により開閉するとともにタイミング発生回路６５に第１の電圧を印加するスイッチＳ５とを備える。そして電源ユニット７１〜８０の５Ｖ電源のすべてから電圧が出力されているときにスイッチＳ５〜Ｓ８を閉じて、タイミング発生回路６５および画像信号処理回路６１に電力が供給される。そしてタイミング発生回路６５は電力が供給されると、第１の時間Ｔ１経過後に走査電極駆動回路６３および維持電極駆動回路６４を制御するためのタイミング信号を発生する。また画像信号処理回路６１は電力が供給されると、第１の時間Ｔ１よりも長い第２の時間Ｔ２経過後に画像データを出力する。
【００７２】
そのため、多くの電源の供給される順序が一意に決まっていなくても、走査電極駆動回路６３および維持電極駆動回路６４に供給される多くの電源が安定して供給された後にタイミング信号が供給されるので、動作異常を発生させることなく安全にプラズマディスプレイ装置９０を起動させることができる。また商用電源の供給が一時的に停止した場合であっても、動作異常を発生させることなく安全に停止および再起動させることができる。また走査電極駆動回路６３および維持電極駆動回路６４が動作を開始した後に画像表示を開始させることができる。
【００７３】
なお、実施の形態１、２において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００７４】
本発明は、複数の電源ユニットを用いて構成した電源回路であっても、起動時において動作異常の発生するおそれがなく、プラズマディスプレイ装置として有用である。
【符号の説明】
【００７５】
１０    パネル
１２    走査電極
１３    維持電極
１４    表示電極対
２２    データ電極
３０，６０    本体制御回路
３１，６１    画像信号処理回路
３２，６２    データ電極駆動回路
３３，６３    走査電極駆動回路
３４，６４    維持電極駆動回路
３５，６５    タイミング発生回路
３６，６６    電源回路
４１，４２，７１，７２，７３，７４，７５，７６，７７，７８，７９，８０    電源ユニット
４３，８３    論理積回路
５０，９０    プラズマディスプレイ装置
【図１】
2012093597.tif 000003
【図２】
2012093597.tif 000004
【図３】
2012093597.tif 000005
【図４】
2012093597.tif 000006
【図５】
2012093597.tif 000007
【図６】
2012093597.tif 000008
【図７】
2012093597.tif 000009
【図８】
2012093597.tif 000010